(57)【要約】      （修正有）【課題】収容部材を介して筐体部に搭載される駆動源の出力軸に固定された噛合部と、この噛合部が噛合する歯車部との歯飛びや歯底当たりを抑制することができる光ディスク装置を提供する。【解決手段】光ディスク装置は、光ディスクを回動可能に保持する保持部材２６を搭載する筐体部２４と、筐体部２４に搭載される収容部材２８と、を備える。収容部材２８は、筐体部２４を揺動させるための駆動源２２を収容し、駆動源２２の駆動力を伝達する歯車部２３１が収容部材２８に取り付けられる。駆動源２２の出力軸には、歯車部２３１に噛合する噛合部２７が固定される。【選択図】図２
2014175019.tif 000002
【特許請求の範囲】
【請求項１】
光ディスクを回動可能に保持する保持部材を搭載する筐体部と、
前記筐体部に搭載される収容部材と、
を備え、
前記収容部材は、前記筐体部を揺動させるための駆動源を収容し、
前記駆動源の駆動力を伝達する歯車部が前記収容部材に取り付けられ、
前記駆動源の出力軸には、前記歯車部に噛合する噛合部が固定される光ディスク装置。
【請求項２】
前記収容部材と前記筐体部とをスナップフィットにより結合することを特徴とする請求項１に記載の光ディスク装置。
【請求項３】
前記駆動源と前記収容部材とをスナップフィットにより結合することを特徴とする請求項１又は２に記載の光ディスク装置。
【請求項４】
前記歯車部が前記収容部材にスナップフィットにより取り付けられることを特徴とする請求項１〜３の何れかに記載の光ディスク装置。
【請求項５】
前記収容部材に、前記噛合部の先端を支持する支持部材を設けることを特徴とする請求項１〜４の何れかに記載の光ディスク装置。
【請求項６】
前記収容部材の前記歯車部とは反対側に突出部を設け、
前記筐体部に前記突出部を支持する係合部を設けることを特徴とする請求項１〜５の何れかに記載の光ディスク装置。
【請求項７】
前記歯車部の回転軸方向において、前記突出部と前記歯車部とが重なることを特徴とする請求項６に記載の光ディスク装置。
【請求項８】
前記突出部を前記歯車部の回転軸上に設けることを特徴とする請求項６又は７に記載の光ディスク装置。
【請求項９】
前記係合部は前記突出部が挿嵌される孔を有することを特徴とする請求項６〜８の何れかに記載の光ディスク装置。
【請求項１０】
前記収容部材が樹脂の一体成形品であることを特徴とする請求項１〜９の何れかに記載の光ディスク装置。
【請求項１１】
前記駆動源により光ピックアップが駆動されることを特徴とする請求項１〜１０の何れかに記載の光ディスク装置。
【発明の詳細な説明】
【技術分野】
【０００１】
本発明は、ＢＤ（Blu-ray Disc：登録商標）、ＤＶＤ（Digital Versatile Disc）等の光ディスクに対して記録／再生を行う光ディスク装置に関する。
【背景技術】
【０００２】
従来から、光ディスクを再生したり、光ディスクに記録したりする光ディスク装置において、様々な形態が提案されている。その形態の一つとして、メインシャーシと、トレイと、トラバースシャーシと、カムスライダーと、駆動モーターと、駆動力伝達歯車機構とを有する光ディスク装置がある。トレイには光ディスクが載置され、トラバースシャーシには光ピックアップ及びターンテーブルが搭載される。また、カムスライダーはトラバースシャーシを上下に揺動させる。駆動力伝達歯車機構は、駆動モーターの駆動力を光ピックアップのラック、トレイのラック、カムスライダーのラックに伝達する複数のギアからなる。
【０００３】
この光ディスク装置におけるトレイを閉鎖する際の動作について以下説明する。トレイが排出位置にあるときに、駆動モーターからの駆動力が駆動力伝達歯車機構を介してトレイのラックに伝達されると、トレイは収納位置に向かって移動する。その後駆動モーターの駆動力はカムスライダーのラックにも伝達され、トラバースシャーシを上昇させる。
【０００４】
なお、トレイが排出位置にあるとき及びトレイが移動中であるときは、光ピックアップのラックの係合部とメインシャーシの係合部が係合して光ピックアップのラックとギアが噛合しない。これによってトレイが収納位置に到達する前に駆動モーターの駆動力が光ピックアップのラックに伝達されることはなく、光ピックアップの移動が制限されている。
【０００５】
一方、トレイが収納位置に到達し、トラバースシャーシが最も高い位置に到達すると、ターンテーブルに光ディスクがチャッキングされる。また、同時に光ピックアップのラックの係合部とメインシャーシの係合部の係合が外れ（光ピックアップのロックが解除され）、光ピックアップのラックと光ピックアップのラックに駆動モーターの駆動力を伝達するギアが噛合する。
【０００６】
これによって駆動モーターの駆動力が光ピックアップのラックに伝達される。トレイには光ディスクの情報記録面を露出させるための開口が形成されており、光ピックアップはトレイの開口内を光ディスクの径方向に移動することでトレイに干渉することなく所定の位置まで移動可能である。すなわち、通常状態において光ピックアップはトレイが収納位置に至った後（より詳細には、トレイが収納位置に至り、トラバースシャーシが上昇した後）に、光ディスクの径方向に移動する。
【０００７】
このような光ディスク装置においては、駆動モーターをトラバースシャーシに直接又はモーターホルダーを介して固定し、この駆動モーターの出力軸にウォームギアを固定している。そして、駆動力伝達歯車機構中の最初のウォームホイールにウォームギアを噛合させ、この駆動力伝達歯車機構を介して上述したようにトレイや光ピックアップやカムスライダーを作動させている。
【０００８】
これに類似した構成として、特許文献１にはスレッドモータがホルダー部材に保持されることにより、シャーシ本体に対して固定されるという記載がある。
【先行技術文献】
【特許文献】
【０００９】
【特許文献１】特開２００３−２８３１６２号公報
【発明の概要】
【発明が解決しようとする課題】
【００１０】
しかしながら、モーターホルダーを介して駆動モーターをトラバースシャーシに固定したものは、駆動モーターを取り付けたときの嵌合ガタ等によって駆動モーターの取り付け方向（取り付け角度）が変化する。そのため、駆動モーターの出力軸に固定されたウォームギアと、このウォームギアに噛合するウォームホイールとの軸間ピッチのバラツキが大きくなりやすい。このように駆動モーターの取り付け方向にバラツキが生じると、モーターホルダーの位置決め箇所によっては軸間ピッチが大きく変化する。従って、ギア間の歯飛びや歯底当たりを考慮して設計を行う際の交差設定が困難になるという問題がある。
【００１１】
一方、駆動モーターを直接トラバースシャーシに固定する際、トラバースシャーシが一般的な板金部材である場合には、駆動モーターを取り付けるための複数のビス、ウォームギアの先端を支持する樹脂製のスプリングウォームなどが必要になる。
【００１２】
本発明は、収容部材を介して筐体部に搭載される駆動源の出力軸に固定された噛合部と、この噛合部が噛合する歯車部との歯飛びや歯底当たりを抑制することができる光ディスク装置を提供することを目的とする。
【課題を解決するための手段】
【００１３】
上記目的を達成するために、本発明の一の局面による光ディスク装置は、光ディスクを回動可能に保持する保持部材を搭載する筐体部と、筐体部に搭載される収容部材と、を備え、収容部材は、筐体部を揺動させるための駆動源を収容し、駆動源の駆動力を伝達する歯車部が収容部材に取り付けられ、駆動源の出力軸には、歯車部に噛合する噛合部が固定される。
【００１４】
この構成によると、噛合部が固定された駆動源を収容する収容部材に、駆動源の駆動力を伝達する歯車部が取り付けられる。そのため、噛合部と歯車部との位置に誤差が生じにくい。従って、噛合部と歯車部との歯飛びや歯底当たりを抑制することができる。
【００１５】
上記の光ディスク装置において、収容部材と筐体部とをスナップフィットにより結合することが好ましい。これにより、ビスを用いずに収容部材を筐体部に固定できる。従って、部品点数の削減と組み立て工程数の削減とに繋がる。
【００１６】
上記の光ディスク装置において、駆動源と収容部材とをスナップフィットにより結合することが好ましい。これにより、ビスを用いずに駆動源を収容部材に固定できる。従って、部品点数の削減と組み立て工程数の削減とに繋がる。
【００１７】
上記の光ディスク装置において、歯車部を収容部材にスナップフィットにより取り付けることが好ましい。これにより、筐体部に歯車部を直接取り付ける場合に必要となる、金属軸が不要となる。この金属軸は通常、カシメ加工によって筐体部に固定されるので、この収容部材を用いることにより、部品点数の削減と組み立て工程数の削減とに繋がる。
【００１８】
上記の光ディスク装置において、収容部材に、噛合部の先端を支持する支持部材を設けることが好ましい。これにより、支持部材を収容部材に一体成形できるので、別体の支持部材を筐体部に取り付ける必要がなく、部品点数の削減と組み立て工程数の削減とに繋がる。
【００１９】
上記の光ディスク装置において、収容部材の歯車部とは反対側に突出部を設け、筐体部に突出部を支持する係合部を設けることが好ましい。これにより、収容部材が筐体部に位置決め及び固定される。また、落下時等、外部からの衝撃があった場合に、収容部材を保持する補強にもなる。
【００２０】
上記の光ディスク装置において、歯車部の回転軸方向において、突出部と歯車部とが重なることが好ましい。さらには、突出部を歯車部の回転軸上に設けることが好ましい。これにより、寸法誤差による影響（歯車部の軸ズレ等）を抑えることができる。
【００２１】
上記の光ディスク装置において、係合部は突出部が挿嵌される孔を有することが好ましい。これにより、組み立て作業は、孔に突出部を挿嵌すればよいので、容易となる。
【００２２】
上記の光ディスク装置において、収容部材が樹脂の一体成形品であることが好ましい。これにより、部品点数の削減と組み立て工程数の削減とに繋がる。
【００２３】
上記の光ディスク装置において、例えば、駆動源により光ピックアップが駆動される。こうすれば、１つの駆動源により光ピックアップの駆動も行うことができる。
【発明の効果】
【００２４】
本発明によれば、収容部材を介して筐体部に搭載される駆動源の出力軸に固定された噛合部と、この噛合部が噛合する歯車部との歯飛びや歯底当たりを抑制することができる。
【図面の簡単な説明】
【００２５】
【図１】本発明の一実施形態の光ディスク装置の外観斜視図である。
【図２】本発明の一実施形態の光ディスク装置におけるトラバースアッシーの平面図である。
【図３】本発明の一実施形態の光ディスク装置におけるトラバースシャーシの平面図である。
【図４】本発明の一実施形態の光ディスク装置におけるモーターホルダーの斜視図である。
【図５】図４のモーターホルダーの背面側の斜視図である。
【図６】図４のモーターホルダーの側面図である。
【図７】本発明の他の形態のモーターホルダーの背面側の斜視図である。
【発明を実施するための形態】
【００２６】
以下、光ディスク装置１０を横置き（水平姿勢）に設置した状態、すなわち光ディスクのレーベル面が上向きで水平に収納、排出される状態を基準に説明する。光ディスクが排出される側を前側、前側に対面して右手を右側、前側に対面して左手を左側と定義する。また、光ディスクが排出・収納される方向を前後方向、光ディスクのレーベル面と平行で前後方向に直交する方向を左右方向、前後方向及び左右方向に直交する方向を上下方向と定義する。
【００２７】
図１は、本発明の一実施形態の光ディスク装置１０の外観斜視図である。光ディスク装置１０は、前面カバー１１と、外装カバー１２と、前面カバー１１及び外装カバー１２によって前側、右側、左側及び上側が覆われるボトムシャーシ（不図示）とを備えている。
【００２８】
前面カバー１１は、外装カバー１２及びボトムシャーシの前側に取り付けられ、各種ユーザーインターフェースを有している。例えば、前面カバー１１には、光ディスク搬送用のトレイ１３、開閉ボタン１４、外部機器接続用の端子群１５、表示部としての表示管１６、操作部１７、電源ボタン１８などが配設されている。開閉ボタン１４はトレイ１３を開閉させ、操作部１７は光ディスクを再生させる再生ボタン等からなる。
【００２９】
外装カバー１２は、ボトムシャーシの上側、右側及び左側を覆うコ字型の部材であり、ボトムシャーシにビス等で固定される。ボトムシャーシは、光ディスク装置１０の各種部材を搭載する。搭載する部材は、光ディスク装置１０の各部を制御する制御部、後述するドライブ装置などである。
【００３０】
図２は光ディスク装置１０におけるトラバースアッシーの平面図である。図３は光ディスク装置１０におけるトラバースシャーシ２４の平面図である。図４は光ディスク装置１０におけるモーターホルダー２８の斜視図、図５はそのモーターホルダー２８の背面側の斜視図、図６はそのモーターホルダー２８の側面図である。
【００３１】
光ディスク装置１０は外観を形成する装置本体の筐体内にドライブ装置を収容している。ドライブ装置は、ローダーシャーシ（不図示）と、トレイ１３と、トラバースアッシー２１と、カムスライダー（不図示）と、駆動モーター２２（駆動源）と、駆動力伝達歯車機構２３と、クランパー（不図示）と、を備えている。クランパーは光ディスクをレーベル面側からチャッキングする。
【００３２】
ローダーシャーシは、ドライブ装置の各部材を収容する平面視略四角形の筐体であり、例えば樹脂の一体成形品である。ローダーシャーシは、その中央付近から後端にかけてトラバースアッシー２１を収容している。また、ローダーシャーシは、前部（トラバースアッシー２１の前側）にカムスライダーを収容している。
【００３３】
トレイ１３は、光ディスクを載置して搬送する搬送部材であり、トレイラック（不図示）を有し、排出位置と収納位置の間を移動する。トレイラックは、例えば、そのラック部がトレイ１３の下面右側部に沿って内向きに形成され、駆動力伝達歯車機構２３の１つのギア（例えば、後述するギア２３３）に噛合している。これにより、駆動モーター２２の駆動によってトレイ１３が前後方向に移動する。
【００３４】
トラバースアッシー２１は、光ディスクの搬送方向（前後方向）に略垂直な方向（上下方向）に揺動（旋回）して昇降可能となっている。トラバースアッシー２１は、トラバースシャーシ２４（筐体部）と、光ピックアップユニット（以下ＯＰＵと呼ぶ。）と、ガイドシャフト２５と、光ディスク回転用のスピンドルモーター（不図示）と、を有している。さらに、トラバースアッシー２１は、ターンテーブル２６（保持部材）と、駆動力伝達歯車機構２３と、駆動モーター２２と、ウォームギア２７（噛合部）と、モーターホルダー２８（収容部材）と、を有している。ガイドシャフト２５は、トラバースシャーシ２４に固定され、ＯＰＵを光ディスクの径方向（前後方向）に移動可能に支持している。スピンドルモーターはトラバースシャーシ２４に固定され、ターンテーブル２６はスピンドルモーターの回転軸に挿嵌されている。駆動力伝達歯車機構２３は右部（トラバースアッシー２１の右側）に収容されている。駆動モーター２２は駆動力伝達歯車機構２３を駆動する。ウォームギア２７は、駆動モーター２２の出力軸に固定され、駆動モーター２２の駆動力を駆動力伝達歯車機構２３に伝達する。モーターホルダー２８は駆動モーター２２を収容しており、駆動力伝達歯車機構２３の一部がモーターホルダー２８に取り付けられている。
【００３５】
カムスライダーは、左右方向に移動してトラバースアッシー２１を昇降（上下動）させる。カムスライダーは、スライダーラックと、カム溝とを有し、左右方向に移動可能にローダーシャーシに取り付けられている。スライダーラックはカムスライダーの上面右部にあり、後面に沿って左右方向にラック部が形成されている。このラック部は駆動力伝達歯車機構２３の１つのギア（不図示）に噛合可能となっている。カム溝は、正面視で水平に延びた高さの異なる２本の溝とそれらを繋ぐ斜めの溝とで構成され、トラバースシャーシ２４のボス２４ａに係合している。
【００３６】
これにより、ラック部が駆動力伝達歯車機構２３に噛合すると、駆動モーター２２の駆動によってカムスライダーが左右方向に移動し、カム溝に沿ってボス２４ａが移動する。ボス２４ａは上下に移動することになるので、つまりトラバースアッシー２１が上下動することになる。カムスライダーは、トレイ１３を駆動するのと同じ駆動モーター２２によって駆動されるので、トレイ１３の動作に連動してトラバースアッシー２１をチャッキング位置とアンチャッキング位置との間で揺動させる。
【００３７】
駆動力伝達歯車機構２３は、駆動モーター２２の駆動力を、トレイ１３、ＯＰＵ、カムスライダーにそれぞれ伝達する。駆動力伝達歯車機構２３は、ウォームホイール２３１（歯車部）、ギア２３２、ギア２３３が順に噛合して構成される。なお、図２ではカムスライダーのラック部とギア２３３とに噛合してカムスライダーに駆動モーター２２の駆動力を伝達するギアの図示が省略されている。そして、ウォームホイール２３１が駆動モーター２２の出力軸（回転軸）に固定されたウォームギア２７に噛合して駆動される。また、ウォームホイール２３１はＯＰＵのＯＰＵラック（不図示）に、ギア２３３はトレイラックにそれぞれ噛合する。よって、１つの駆動モーター２２でトレイ１３、トラバースアッシー２１、ＯＰＵを駆動することができ、すなわち、光ディスクの搬送、チャッキング、アンチャッキング、光ピックアップの移動を行うことができる。
【００３８】
トラバースシャーシ２４は、例えば板金部材であり、その後端がローダーシャーシに枢支され、その前端から突出したボス２４ａがカムスライダーのカム溝に係合している。これにより、トラバースシャーシ２４はカムスライダーの移動によってチャッキング位置とアンチャッキング位置との間で昇降される。また、トラバースシャーシ２４は、モーターホルダー２８を搭載するために大まかにモーターホルダー２８の形状に沿って開口されたモーターホルダー搭載部２４ｂを有している（図３参照）。モーターホルダー搭載部２４ｂの詳細については後述する。
【００３９】
ガイドシャフト２５は、例えば金属棒であり、その前端付近と後端付近とがトラバースシャーシ２４に固定され、ＯＰＵを挿通して摺動可能に保持している。
【００４０】
ターンテーブル２６は、光ディスクを回動可能に保持する保持部材であり、スピンドルモーターの回転軸に固定されている。ターンテーブル２６は、光ディスクを載置した状態で上昇することで、クランパーと共に光ディスクを挟持する。
【００４１】
モーターホルダー２８は、本実施形態では樹脂の一体成形品であるが、板金部材や各種部材を組み合わせて形成することもできる。モーターホルダー２８は、ウォームギア２７が取り付けられた駆動モーター２２を収容する収容部材である。モーターホルダー２８にはウォームホイール２３１が取り付けられている。そして、モーターホルダー２８はトラバースシャーシ２４に搭載される。
【００４２】
モーターホルダー２８は、突出した第１〜第６係合部２８ａ〜２８ｆを有する。これらに対応して、トラバースシャーシ２４のモーターホルダー搭載部２４ｂは、第１〜第６係合受け部２４ｃ〜２４ｈを有している（図３参照）。また、第１、第３、第５係合部２８ａ、２８ｃ、２８ｅにはそれぞれ凸部（保持部）が形成されている。そして、第１、第３、第５係合部２８ａ、２８ｃ、２８ｅが第１、第３、第５係合受け部２４ｃ、２４ｅ、２４ｇに挿嵌され、各凸部が各係合受け部に咬合し、いわゆるスナップフィットによって結合（固定）される。それと同時に位置決めにも用いられる。
【００４３】
一方、第２、第６係合部２８ｂ、２８ｆは第２、第６係合受け部２４ｄ、２４ｈに挿嵌され、モーターホルダー２８の位置決めに用いられる。また、第４係合部２８ｄは第４係合受け部２４ｆに当接する。
【００４４】
このように、モーターホルダー２８がトラバースシャーシ２４の上面側から嵌められることで、モーターホルダー２８とトラバースシャーシ２４とがスナップフィットにより結合される。さらに、モーターホルダー２８の位置決め及び取り付けも行われる。よって、ビスを用いずにモーターホルダー２８をトラバースシャーシ２４に固定できる。従って、部品点数の削減と組み立て工程数の削減とに繋がる。
【００４５】
また、モーターホルダー２８は、突出した第７、第８係合部２８ｇ、２８ｈを有する。これらに対応するのは、駆動モーター２２の外面である。第７、第８係合部２８ｇ、２８ｈは、それぞれ駆動モーター２２の外面に沿うように、先端付近で内側に屈曲している。そして、駆動モーター２２が上方から第７、第８係合部２８ｇ、２８ｈへ嵌められることにより、第７、第８係合部２８ｇ、２８ｈが駆動モーター２２の外面に咬合し、スナップフィットによって結合（固定）される。
【００４６】
このように、駆動モーター２２が上方から第７、第８係合部２８ｇ、２８ｈへ嵌められることで、駆動モーター２２とモーターホルダー２８とがスナップフィットにより結合される。さらに、モーターホルダー２８の位置決め及び取り付けも行われる。よって、ビスを用いずに駆動モーター２２をモーターホルダー２８に固定できる。従って、部品点数の削減と組み立て工程数の削減とに繋がる。
【００４７】
また、モーターホルダー２８は、ウォームホイール２３１を載置する略円形の載置面２８ｉと、載置面２８ｉの中央付近から上方へ突出した略円筒形の軸部２８ｊとを有する。そして、軸部２８ｊは、その長手方向に沿って両側にスリットを有した凸部（保持部）２８ｋを有する。凸部２８ｋは軸部２８ｊを平面視した場合に外側へ突出している。
【００４８】
そして、ウォームホイール２３１の回転軸である孔が上方から軸部２８ｊへ挿入されることにより、凸部２８ｋが一旦撓んで孔を通過してウォームホイール２３１の上端に咬合し、スナップフィットにより保持（取付）される。凸部２８ｋにスリットを設けることにより、凸部２８ｋが撓むので組み立てが容易になる。
【００４９】
このように、ウォームホイール２３１が上方から軸部２８ｊへ挿入されることで、ウォームホイール２３１がモーターホルダー２８にスナップフィットにより取り付けられ、ウォームホイール２３１が回転可能にかつ軸部２８ｊから抜けないように保持される。よって、トラバースシャーシ２４にウォームホイール２３１を直接取り付ける場合に必要となる、金属軸が不要となる。この金属軸は通常、カシメ加工によってトラバースシャーシ２４に固定されるので、上記のモーターホルダー２８を用いることにより、部品点数の削減と組み立て工程数の削減とに繋がる。
【００５０】
また、モーターホルダー２８は、ウォームギア２７の先端を支持するスプリングウォーム２８ｍ（支持部材）を有する。スプリングウォーム２８ｍは、修理等の際に手動で各部を動かす場合に、ウォームギア２７が先端方向へ動くことを防止し、駆動モーター２２を手動で回転可能にする。スプリングウォーム２８ｍは、モーターホルダー２８と一体成形された部材であり、モーターホルダー２８から突出し、板バネ状の平坦な支持面でウォームギア２７の先端を押して（支持して）いる。
【００５１】
このように、モーターホルダー２８を用いることで、スプリングウォーム２８ｍをモーターホルダー２８に一体成形できる。そのため、別体のスプリングウォームをトラバースシャーシに取り付ける必要がなく、部品点数の削減と組み立て工程数の削減とに繋がる。
【００５２】
また、モーターホルダー２８は、ウォームホイール２３１とは反対側にボス２８ｎ（突出部）を有する。これに対応して、トラバースシャーシ２４はボス２８ｎを支持するボス受け部２４ｉ（係合部）を有している（図３参照）。ボス２８ｎは、ウォームホイール２３１の回転軸方向において、ウォームホイール２３１と重なる位置であればどこに配置されてもよい。本実施形態ではウォームホイール２３１の回転軸上（軸部２８ｊの延長上）に設けられている。
【００５３】
ボス受け部２４ｉは、ボス２８ｎが挿嵌される孔２４ｊを有する係合部である。本実施形態ではボス２８ｎが円筒形であるので、孔２４ｊもそれに嵌合する円形としているが、挿嵌可能な形状であればどのような形状であってもよい。
【００５４】
このように、ボス２８ｎがボス受け部２４ｉに挿嵌されることで、モーターホルダー２８がトラバースシャーシ２４に位置決め及び固定される。また、落下時等、外部からの衝撃があった場合に、モーターホルダー２８を保持する補強にもなる。さらに、ボス２８ｎをウォームホイール２３１の回転軸上に設けることで、寸法誤差による影響（ウォームホイール２３１の軸ズレ等）を最小限に抑えることができる。
【００５５】
上記のモーターホルダー２８によれば、ウォームギア２７が固定された駆動モーター２２を収容し、駆動モーター２２の駆動力を伝達するウォームホイール２３１が取り付けられている。そのため、ウォームギア２７とウォームホイール２３１との位置に誤差が生じにくい。従って、ウォームギア２７とウォームホイール２３１との歯飛びや歯底当たりを抑制することができる。
【００５６】
次に、上記の構成の光ディスク装置１０の動作について説明する。トレイ１３が収納位置にあり、ターンテーブル２６に光ディスクがチャッキングされているときに、駆動モーター２２からの駆動力がギアを介してＯＰＵラックに伝達されると、光ピックアップはトレイ１３の開口内を光ディスクの径方向に移動する。光ピックアップはこのように移動することでトレイ１３に干渉することなく最前側まで移動する。
【００５７】
このトラバースシャーシ２４がチャッキング位置にある状態で、駆動モーター２２の駆動力によってＯＰＵラックがさらに前方へ移動する。このときＯＰＵラックによってカムスライダーが押されて、カムスライダーが移動を開始する。それとともに、ＯＰＵラックが駆動力伝達歯車機構２３から外れ、スライダーラックが駆動力伝達歯車機構２３に噛合するきっかけとなる。
【００５８】
そして、カムスライダーの移動開始によりカムスライダーに駆動力が伝達されてカムスライダーの移動が継続される。これにより、トラバースシャーシ２４が下降する。一方、トレイ１３はカムスライダーが停止する直前に排出を開始され、排出位置に達すると停止する。
【００５９】
また逆に、トレイ１３が排出位置にあるとき、駆動力伝達歯車機構２３においては、トレイラックとギア２３３が噛合している。一方、カムスライダーのスライダーラックと駆動力伝達歯車機構２３、及びＯＰＵラックとギア２３１は噛合していない。また、カムスライダーは左側で停止しており、トラバースアッシー２１は下がった状態（アンチャッキング位置）にある。また、ＯＰＵは最前側で停止している。
【００６０】
この状態でユーザーによりトレイ１３に光ディスクが載置され、開閉ボタン１４が押下されると、駆動モーター２２が駆動し、駆動力伝達歯車機構２３と繋がった状態にあるトレイ１３が収納方向に移動する。
【００６１】
そして、トレイ１３が収納位置に達する直前に、トレイ１３の一部によってカムスライダーが右方向へ押され、スライダーラックが駆動力伝達歯車機構２３のギアに噛合し、カムスライダーが右方向へ移動し始める。それに連動して、トラバースアッシー２１が上昇し始める。
【００６２】
トレイ１３が収納位置に達すると、トレイラックとギア２３３との噛合が外れる。その後、トラバースアッシー２１がチャッキング位置に達すると、カムスライダーによってＯＰＵラックが後方へ押され、ＯＰＵラックとギア２３１とが噛合し、ＯＰＵが後方へ移動し始める。それとともに、カムスライダーのスライダーラックと駆動力伝達歯車機構２３のギアとの噛合が外れ、カムスライダーは右側で停止する。そして、ＯＰＵが所定位置に達すると、駆動モーター２２が停止し、記録・再生動作に移行する。
【００６３】
以上の実施形態によれば、光ディスク装置１０は、光ディスクを回動可能に保持するターンテーブル２６を搭載するトラバースシャーシ２４と、トラバースシャーシ２４に搭載されるモーターホルダー２８と、を備えている。モーターホルダー２８は、トラバースシャーシ２４を揺動させるための駆動モーター２２を収容している。また、駆動モーター２２の駆動力を伝達するウォームホイール２３１がモーターホルダー２８に取り付けられている。駆動モーター２２の出力軸には、ウォームホイール２３１に噛合するウォームギア２７が固定されている。
【００６４】
この構成によると、ウォームギア２７が固定された駆動モーター２２を収容するモーターホルダー２８に、駆動モーター２２の駆動力を伝達するウォームホイール２３１が取り付けられる。そのため、ウォームギア２７とウォームホイール２３１との位置に誤差が生じにくい。従って、ウォームギア２７とウォームホイール２３１との歯飛びや歯底当たりを抑制することができる。
【００６５】
また、上記の実施形態では、モーターホルダー２８とトラバースシャーシ２４とをスナップフィットにより結合している。これにより、ビスを用いずにモーターホルダー２８をトラバースシャーシ２４に固定できる。従って、部品点数の削減と組み立て工程数の削減とに繋がる。
【００６６】
また、上記の実施形態では、駆動モーター２２とモーターホルダー２８とをスナップフィットにより結合している。これにより、ビスを用いずに駆動モーター２２をモーターホルダー２８に固定できる。従って、部品点数の削減と組み立て工程数の削減とに繋がる。
【００６７】
また、上記の実施形態では、ウォームホイール２３１をモーターホルダー２８にスナップフィットにより取り付けている。これにより、トラバースシャーシ２４にウォームホイール２３１を直接取り付ける場合に必要となる、金属軸が不要となる。この金属軸は通常、カシメ加工によってトラバースシャーシ２４に固定されるので、このモーターホルダー２８を用いることにより、部品点数の削減と組み立て工程数の削減とに繋がる。
【００６８】
また、上記の実施形態では、モーターホルダー２８に、ウォームギア２７の先端を支持するスプリングウォーム２８ｍを設けている。これにより、スプリングウォーム２８ｍをモーターホルダー２８に一体成形できるので、別体のスプリングウォーム２８ｍをトラバースシャーシ２４に取り付ける必要がない。従って、部品点数の削減と組み立て工程数の削減とに繋がる。
【００６９】
また、上記の実施形態では、モーターホルダー２８のウォームホイール２３１とは反対側にボス２８ｎを設け、トラバースシャーシ２４にボス２８ｎを支持するボス受け部２４ｉを設けている。これにより、モーターホルダー２８がトラバースシャーシ２４に位置決め及び固定される。また、落下時等、外部からの衝撃があった場合に、モーターホルダー２８を保持する補強にもなる。
【００７０】
また、上記の実施形態では、ウォームホイール２３１の回転軸方向において、ボス２８ｎとウォームホイール２３１とが重なっている。さらには、ボス２８ｎをウォームホイール２３１の回転軸上に設けている。これにより、寸法誤差による影響（ウォームホイール２３１の軸ズレ等）を抑えることができる。
【００７１】
また、上記の実施形態では、ボス受け部２４ｉはボス２８ｎが挿嵌される孔２４ｊを有する。これにより、組み立て作業は、孔２４ｊにボス２８ｎを挿嵌すればよいので、容易となる。
【００７２】
また、上記の実施形態では、モーターホルダー２８が樹脂の一体成形品である。これにより、部品点数の削減と組み立て工程数の削減とに繋がる。
【００７３】
また、上記の実施形態では、駆動モーター２２により光ピックアップが駆動される。これにより、１つの駆動モーター２２により光ピックアップの駆動も行うことができる。
【００７４】
なお、上記の実施形態では、モーターホルダー２８にボス２８ｎを、トラバースシャーシ２４にボス受け部２４ｉをそれぞれ設けた例を説明したが、ボス２８ｎ及びボス受け部２４ｉは省略してもよい。図７はボスを省略した他の形態のモーターホルダー３０の背面側の斜視図である。このモーターホルダー３０はボス２８ｎを有していない点で上記のモーターホルダー２８と異なり、その他の構成は上記のモーターホルダー２８と同様である。図７において上記のモーターホルダー２８と同様の構成部材については同符号を付す。
【００７５】
このように、モーターホルダー３０がボス２８ｎを有さず、トラバースシャーシ２４がボス受け部２４ｉを有さなくても、ウォームギア２７が固定された駆動モーター２２を収容するモーターホルダー３０に、駆動モーター２２の駆動力を伝達するウォームホイール２３１が取り付けられている。そのため、ウォームギア２７とウォームホイール２３１との位置に誤差が生じにくい。従って、ウォームギア２７とウォームホイール２３１との歯飛びや歯底当たりを抑制することができる。
【００７６】
以上、本発明の実施形態について説明した。上記の実施形態は例示であり、その各構成要素や各処理の組み合わせに色々な変形が可能であり、本発明の範囲にあることは当業者に理解されるところである。
【００７７】
たとえば、上記の実施形態では、光ディスク装置１０を横置き（水平姿勢）に設置した状態について説明したが、本発明の光ディスク装置は縦置きに設置することもできる。
【００７８】
また、上記の実施形態では、筐体部の一形態としてトラバースシャーシ２４を例に説明したが、本発明は移動しない固定されたドライブシャーシにも適用できる。
【００７９】
また、上記の実施形態では、光ディスク装置１０の一形態としてトレイ方式を例に説明したが、本発明はスロットイン方式など、他の方式の光ディスク装置にも適用できる。
【００８０】
本発明は、ＢＤ、ＤＶＤ、ＣＤ（Compact Disc）等の光ディスクを再生する再生装置や光ディスクに記録することもできる記録再生装置をはじめとする光ディスク装置に利用することができる。例えば、ＢＤ・ＤＶＤプレーヤー、ＢＤ・ＤＶＤレコーダー、テレビ一体型ＢＤ・ＤＶＤレコーダー、ＢＤ・ＤＶＤ記録再生装置搭載のパーソナルコンピューターなどが挙げられる。
【符号の説明】
【００８１】
１０  光ディスク装置
２２  駆動モーター（駆動源）
２４  トラバースシャーシ（筐体部）
２４ｉ  ボス受け部（係合部）
２４ｊ  孔
２６  ターンテーブル（保持部材）
２７  ウォームギア（噛合部）
２８  モーターホルダー（収容部材）
２８ｍ  スプリングウォーム（支持部材）
２８ｎ  ボス（突出部）
２３１  ウォームホイール（歯車部）
【図１】
2014175019.tif 000003
【図２】
2014175019.tif 000004
【図３】
2014175019.tif 000005
【図４】
2014175019.tif 000006
【図５】
2014175019.tif 000007
【図６】
2014175019.tif 000008
【図７】
2014175019.tif 000009